(57)【特許請求の範囲】
【請求項１】
離散型に測定される瞬時流量から一定積算時間内に於ける積算流量を導出するガスメーターにおいて、
前記積算時間内に測定される複数の瞬時流量を対象として、
前記複数の瞬時流量のバラツキを表す第一統計関数と、連続する前記瞬時流量の差分、あるいは単位時間当りの瞬時流量の変化量の統計関数である第二統計関数との、一方あるいは双方の関数である誤差関数を求め、
求められる前記誤差関数と別途求められる積算流量とに基づいて、ガスメーターに於ける安全機能用の安全機能用流量を導出するガスメーターの流量導出方法。
【請求項２】
求められる前記誤差関数と別途求められる積算流量とに基づいて、ガスメーターに於ける安全機能用流量を導出するに、
両者を加算あるいは、後者から前者を引くことにより、前記安全機能用流量を導出する請求項１記載のガスメーターの流量導出方法。
【請求項３】
前記第一統計関数が、前記複数の瞬時流量の標準偏差である請求項１または２記載のガスメーターの流量導出方法。
【請求項４】
前記第二統計関数が、連続する瞬時流量の差分からなる数列、あるいは単位時間当りの瞬時流量の変化量の絶対値から成る数列から求められる統計関数、もしくは、
前記第二統計関数が、連続する瞬時流量の差分の絶対値の平均値である請求項１または２記載のガスメーターの流量導出方法。
【請求項５】
離散型に測定される瞬時流量から一定積算時間内に於ける積算流量を導出する積算流量導出手段を備えたガスメーターであって、
前記積算時間内に測定される複数の瞬時流量から、前記複数の瞬時流量のバラツキを表す第一統計関数を求める第一統計関数導出手段と、
前記一定積算時間内に測定される複数の瞬時流量に関して、連続する前記瞬時流量の差分、あるいは単位時間当りの瞬時流量の変化量の統計関数である第二統計関数を求める第二統計関数導出手段とを備え、
前記第一統計関数導出手段によって求められる第一統計関数と、前記第二統計関数導出手段によって求められる第二統計関数との、一方あるいは双方の関数である誤差関数を求める誤差関数導出手段を備え、
前記誤差関数導出手段によって求められる前記誤差関数と、前記積算流量導出手段によって求められる積算流量とに基づいて、安全機能用の安全機能用流量を求める安全機能用流量導出手段を備えたガスメーター。
【発明の詳細な説明】
【０００１】
【発明の属する技術分野】
本発明は、離散型に測定される瞬時流量から一定積算時間内に於ける積算流量を導出するガスメーターに関する。
【０００２】
【従来の技術】
従来、ガスメーターに使用される流量計としては、膜式のものが主流であるが、その利便性等との関係から、現今、超音波を利用したメーター、熱伝導式流量センサーを利用したメーターが提案されている。
このようなメーターにあっては、その測定原理から、取り込まれる流量は、時間的に離散して得られる瞬時流量であり、そのデーター列は離散型である。このようにして取り込まれる複数の瞬時流量から、一定の積算時間内の積算流量が所定の方法で求められる。
【０００３】
一方、ガスメーターは、安全上の理由から、瞬間的な過大流量を検知してガスを遮断する過流量探知及び遮断機能や、一定期間（通常３０日間程度）のガスの連続的な漏洩の有無を検知して警報を発する漏洩監視機能など数種の安全機能を持つ。
このような安全機能を働かせるかどうかの判断対象流量として、従来、積算流量をそのまま採用していた。
【０００４】
【発明が解決しようとする課題】
上記のような新たな計測手法を採用しようとすると以下のような問題がある。
即ち、超音波メーター等の離散的に測定される瞬時流量から一定時間内に於ける積算流量を導出する形成のガスメーターにあっては、ガスの脈動等により瞬時流量あるいは安全機能判定に用いられる比較的短時間（数１０秒〜１時間程度）の積算流量に、ゆらぎが発生する。
このゆらぎを含んだ積算流量を基準に安全機能を働かせると、適切でない場合が発生しうる。例えば、過流量検知機能では、脈動による瞬時流量の変化を過流量と誤認識して、不必要な遮断を繰り返す。
この技術的課題は、離散的に測定される瞬時流量から一定時間内に於ける積算流量を導出すものにおいて、特に顕著となる。
従来、これが問題と成らなかったのは、積算流量をそのまま判断の対象とする場合にあっても、膜式のような場合、測定される流量が時間領域において平均化された流量であったため、ゆらぎの問題が吸収されていたためと考えられる。
【０００５】
本発明の目的は、離散的に測定される瞬時流量から一定時間内に於ける積算流量を導出する形態のガスメーターにあって、上記のような問題を解消できるガスメーターの流量導出方法を得ると共に、このような問題を解消できるガスメーターを得ることにある。
【０００６】
【課題を解決するための手段】
この目的を達成するための本発明による流量導出方法の特徴手段は、請求項１に記載されている様に、離散型に測定される瞬時流量から一定積算時間内に於ける積算流量を導出するガスメーターにおいて、
前記積算時間内に測定される複数の瞬時流量を対象として、
前記複数の瞬時流量のバラツキを表す第一統計関数と、連続する前記瞬時流量の差分あるいは、単位時間当りの瞬時流量の変化量の統計関数である第二統計関数との、一方あるいは双方の関数である誤差関数を求め、
求められる前記誤差関数と別途求められる積算流量とに基づいて、ガスメーターに於ける安全機能用の安全機能用流量を導出することにある。
【０００７】
この方法を使用するガスメーターは、請求項５に記載されているように、
離散型に測定される瞬時流量から一定積算時間内に於ける積算流量を導出する積算流量導出手段を備えたガスメーターであって、
前記積算時間内に測定される複数の瞬時流量から、前記複数の瞬時流量のバラツキを表す第一統計関数を求める第一統計関数導出手段と、
前記一定積算時間内に測定される複数の瞬時流量に関して、連続する前記瞬時流量の差分、あるいは単位時間当りの瞬時流量の変化量の統計関数である第二統計関数を求める第二統計関数導出手段とを備え、
前記第一統計関数導出手段によって求められる第一統計関数と、前記第二統計関数導出手段によって求められる第二統計関数との、一方あるいは双方の関数である誤差関数を求める誤差関数導出手段を備え、
前記誤差関数導出手段によって求められる前記誤差関数と、前記積算流量導出手段によって求められる積算流量とに基づいて、安全機能用の安全機能用流量を求める安全機能用流量導出手段を備えて構成することができる。
【０００８】
この構成の場合、第一統計関数は積算時間内における瞬時流量群のバラツキを表す関数であり、第二統計関数は積算時間内における瞬時流量間の差分もしくは単位時間あたりの変化量の統計関数であるため、これらの関数から求められる誤差関数は、離散的に測定されたデータのバラツキを代表する値となっている。例えば、測定される瞬時流量に脈動に関係した流量変化成分が包含されている場合、統計関数は、脈動によるゆらぎをも包含し、さらに、これを反映するものとなっている。
一方、積算流量は、この積算時間内に平均的な瞬時流量が流れたとした場合の流量と見なせる。
【０００９】
さて、安全機能面から考えると、例えば、過流量遮断を考えた場合、脈動の影響を受けない、真の流量に基づいて遮断をおこなうことが好ましい。そこで、本願にあっては、上記した誤差関数が、脈動の程度等を代表しているものと見なし、その影響を除去、あるいは、最大限、見込む等の処理を行うものとする。
即ち、所定の手順に従って、積算流量と、このバラツキを代表する誤差関数を組み合わせて安全機能用に適した安全機能用流量を導出することで、安全機能用に適した安全機能用流量を得ることができる。
この安全機能用流量は、安全機能を動作させるかどうかの判断の対象の流量と出来、安全機能を的確に働かせることができる。
【００１０】
上記の請求項１記載の導出方法において、請求項２に記載されているように、求められる前記誤差関数と別途求められる積算流量とに基づいて、ガスメーターに於ける安全機能用流量を導出するに、両者を加算あるいは、後者から前者を引くことにより、前記安全機能用流量を導出することが好ましい。
この構成を図２を例に採って説明する。図２の横軸は時間を、縦軸は流量を示している（図３において同じ）。図上、横軸に沿って描かれている周期的な流量信号は実測流量（実線で示されている）に包含されている脈動成分を示している。従って、基底の流量は細い実線で示すような状態となる。さて、所定の状態で離散的に測定される各瞬時流量を実測流量に対して、離散点で示している。さて、図上、右側に、第一統計関数としての標準偏差σを代表的に示した。
【００１１】
この図からも判明するように、実際に測定される瞬時流量群は、積算時間内に平均的な瞬時流量が流れたとした場合の流量に、バラツキ分が乗ったものと見なせるため、単純な誤差関数の加減算で、そのバラツキ分を除いた状態での流量を得ることができる。
ここで、減算を行う場合は、流量を、その基底側で見ることとなり、基底の流量の確実な変化傾向を捕らえながら、例えば、遮断操作を行える。
逆に、加算を行う場合は、微小流量域で安全が問題となる場合等に、監視漏れ等を確実になくせる。
【００１２】
さて、本願にあっては、積算時間、脈動の周期及び、瞬時流量の変化量を採る場合の単位時間、相互の関係は、規定するものではない。即ち、様々な関係の状況が発生するが、同時に、ガスメーターが測定の対象とする流量の変動原因も様々である。例えば、これまで説明してきた様に、ガスメーターより上流側の引き込み管分岐部で脈動が発生している場合があると共に、ガスメーターより下流側に備えられるガス機器の運転、停止に伴っても、流量の変化が発生する。ここで、前者の場合の流量変化は周期性を有するが、後者の場合は、通常、一時的と言える。従って、これらの要因を考慮して、バラツキの代表値を求めることが好ましい場合もあり、下記するような様々の代表値を採用することが好ましい。
【００１３】
請求項３に記載されているように、前記第一統計関数としては、複数の瞬時流量の標準偏差を採用することができる。
標準偏差は、バラツキをみる場合に、もっとも一般的な指標であり、バラツキが正規分布状態である場合に、その分布の限界点を良好に特定することが可能となる。この例の場合は、脈動が主なバラツキ要因である場合に、好ましい統計関数を与える。また、このような関数は、ガスメーターのＣＰＵに負担もかけず簡易で有効なものである。
【００１４】
一方、前記第二統計関数としては、請求項４に記載されているように、連続する瞬時流量の差分からなる数列、あるいは単位時間当りの瞬時流量の変化量の絶対値から成る数列から求められる統計関数を採用することもできる。
このような差分もしくは変動量に基づくことにより、簡単な演算でバラツキの程度を示すデータを得ることができ、ＣＰＵへの負荷も低くできる。
ガスメーターの下流側に、ＯＮ／ＯＦＦ式の保温機能を持つ床暖房用給湯器など比較的高い頻度で間欠駆動するガス機器が存在した場合、積算時間の適切な設定により、これらの機器の動作と脈動の影響とを区別して、状況に応じて適切なバラツキの指標を得ることができる。更に、この場合、積算時間を短くすることで、脈動との区別は明確となる。
即ち、間欠駆動式のガス機器がＯＮ／ＯＦＦの瞬間の短時間のみに流量変動を与えるのに対し、脈動の場合には常に変動を与えるから、両者を容易に識別することが可能となり、ガス機器のＯＮ／ＯＦＦを適切に抽出して、安全機能用の流量を、この状況に適応して適切に設定可能となる。
【００１５】
さらに、請求項４に記載されているように、前記第二統計関数として、連続する瞬時流量の差分の絶対値の平均値を採用することも好ましい態様である。
このような平均値を使用することでも、測定値のバラツキを平均化した状態で評価することができる。
【００１６】
【発明の実施の形態】
以下、本願の実施の形態を、図１に基づいて説明する。
ガスメーター１は、超音波を使用して所定の流れに関する情報を得るための測定管２と、この測定管２からの情報に基づいて、本願にいう瞬時流量を求める系及び得られた瞬時流量から本願にいう安全機能用流量を求める系を備えて構成されている。
即ち、ガスメーター１は、前述の測定管２と、この測定管２の出力端２ａが接続されるメーター本体７とを備えており、コンピュータとして構成されるメーター本体７内には、前述の両者の処理系が、様々な手段として格納されている。
【００１７】
測定管２において、測定対象のガスｆは、導入部３から測定管２内に流入し、導出部４より排出される。同図において、測定管２内でのガスｆの流れ方向は、大矢印で示すように、図上、左から右である。左側が上流側、右側が下流側である。
測定管２には、この測定管２に対して所定の方向に位置づけて設けられる一対の送受波器５が備えられている。これら送受波器５の離間距離Ｌは一定とされる。
この送受波器５は、それぞれ、超音波の送波器５ａと受波器５ｂとを備えており、本体側からの指令に従って、一方側の送波器５ａでは、超音波を一方側から他方側へ送信可能に構成されていると共に、他方側の受波器５ｂでは、一方側から所定のタイミングで送信された超音波を受信することにより、その超音波の伝播時間（一方側の送波器５ａにおける送信タイミングと他方側の受波器５ｂにおける受信タイミングの時間差）を割り出すことが可能に構成されている。
この操作は、流れ方向に対して逆転した位置関係にある送波器５ａと受波器５ｂに関しても同様に実行可能とされ、流れ方向に沿った順方向と、逆方向との両方向で、超音波が伝播され、各超音波の伝播時間を求めることができる構成が採用されている。
【００１８】
上記構造において、伝播時間の測定は、超音波が、音の伝播方向が流れに沿った方向である順方向に伝播されて、その順方向で超音波が送受波器間を伝播する順方向伝播時間ｔ１０を求める動作と、流れに逆らった方向である逆方向に伝播させ、その逆方向で超音波が送受波器間を伝播する逆方向伝播時間ｔ２０とを求める動作とを、一対として瞬時流量測定手段６によって実行される。
【００１９】
瞬時流量測定手段６は、出力されてくる順方向伝播時間ｔ１０と逆方向伝播時間ｔ２０とに基づいて、ガスの流速Ｖｘ（これは超音波の伝播方向に沿った流速成分）を求めると共に、測定部の断面積Ｓ１と、測定部の流量係数βを考慮して、単一回の流量を求める。
流速Ｖｘ、瞬時流量Ｑは、下記式で与えられる。
【００２０】
【数１】
Ｖｘ＝Ｌ×（１／ｔ１０−１／ｔ２０）／２
Ｑ＝Ｖｘ×Ｓ１×β×ｃｏｓ（θ）
【００２１】
この瞬時流量Ｑは、一回の測定により得られる得る値であり、離散的に測定される。瞬時流量の測定タイミングは、個々に、クロック８ａを備えた測定時間制御手段８によって与えられる。
この測定時間制御手段８の働きを、図２、図３を参考にしながら説明する。図において、横軸上に離散点として個々の測定タイミングを示した。
個々の測定タイミングの指令を発するのが、この手段８の役割であるが、相互の測定タイミングの設定も、この手段８によって制御される。この制御は、以下のようなシーケンスを採用して実行される。
積算時間Ｔは、ガスメーターの用途等を考慮して、数十分〜数時間等、適切な一定値として予め設定される。また、この積算時間Ｔ内における測定タイミングの数（サンプリング数ｎ）も、使用目的等との関係から１００〜３００００に設定されている。従って、基準となるサンプリング間隔は、１秒程度である。
さて、各測定タイミングは、積算時間をＴ、超音波による順方向および逆方向を一対とした１回の測定に必要な時間（この測定必要時間は、純粋に測定に必要な時間だけではなく、ＣＰＵ内の他の演算との兼ね合い等で発生する次回測定に入れない禁止時間も含む）をΔｔ、測定タイミングの設定毎に毎回発生される乱数をＮとして以下の式に基づいて設定される。
即ちある一回の測定タイミングから次のタイミングまでの時間は、以下のようになる。
【００２２】
【数２】
Δｔ＋（Ｔ／ｎ−Δｔ）×Ｎ／｛（１＋Ｎｍａｘ）／２｝
ここで、乱数Ｎは１からＮｍａｘまでの整数の範囲で発生する乱数で、各数の発生する確率が同一なものである。
このシーケンスは順次繰り返される。
【００２３】
このようにして、測定タイミングを設定することで、積算時間Ｔ内でのサンプリング数ｎを統計的に確保できると共に、タイミングをばらつかせることで、論理的共鳴による誤差の発生確率を大幅に下げることができる。
図２、３にあっては、実測流量と記載したアナログ表示の流量線上に各点として瞬時流量の測定値を示している。
【００２４】
このようにして所定の積算時間Ｔ内における複数の瞬時流量Ｑが得られることとなる。以下、本願の特徴構成部位に関して説明する。この部位は、先に説明した瞬時流量Ｑから安全機能用流量Ｑｓａを求める部位である。
【００２５】
この部位には、積算時間Ｔ内に測定される複数の瞬時流量Ｑから、複数の瞬時流量Ｑのバラツキを表す第一統計関数を求める第一統計関数導出手段９と、
積算時間Ｔ内に測定される複数の瞬時流量Ｑに関して、連続する瞬時流量の差分の統計関数である第二統計関数を求める第二統計関数導出手段１０とを備えている。
そして、第一統計関数導出手段９によって求められる第一統計関数と、第二統計関数導出手段１０によって求められる第二統計関数との、一方あるいは双方の関数である誤差関数を求める誤差関数導出手段１１が備えられている。
更に、誤差関数導出手段１１によって求められる誤差関数と、積算流量導出手段１２によって求められる積算流量とに基づいて、安全機能用の安全機能用流量を求める安全機能用流量導出手段１３を備えている。
この安全機能用流量導出手段１３により得られた安全機能用流量は、安全動作手段１４に送られ、ガスメーター１が備えられている管路（図外）の遮断等の判断用に使用され、必要な場合は、管路の遮断が行われる。
【００２６】
以下、上記、図１に示す個々の手段に関して説明する。
イ  積算流量導出手段１４
瞬時流量測定手段６から、積算時間内に入力されてくる瞬時流量Ｑの平均と積算時間との積としての積算流量Ｑｓｕｍを導出する。この積算流量Ｑｓｕｍは、安全機能用流量導出手段１３に送られる。
ロ  第一統計量導出手段９
瞬時流量測定手段６から、積算時間内に入力されてくる瞬時流量Ｑの標準偏差σを導出する。この標準偏差σは、誤差関数導出手段１１に送られる。
ハ  第二統計量導出手段１０
瞬時流量測定手段６から、積算時間内に入力されてくる連続する瞬時流量Ｑの差分の絶対値の平均ｄｍを導出する。この差分の平均ｄｍは、誤差関数導出手段１１に送られる。
ニ  安全機能用流量導出手段１３
入力されてくる積算流量Ｑｓｕｍに対して、誤差関数導出手段１１において、第一統計関数としての標準偏差σ、第二統計関数としての差分の平均ｄｍを重み付けして得られる誤差関数を利用し、これを受けて、加減算を行って、安全機能用流量Ｑｓａを求める。
この安全機能用流量は、下記のように表現できる。
【００２７】
【数３】
Ｑｓａ＝Ｑｓｕｍ＋ａ１×σ＋ａ２×ｄｍ
ここで、ａ１、ａ２は、積算時間Ｔ等とバラツキ指標の種類に基づいて予め設定している定数である。
【００２８】
例えば、（ａ１、ａ２）として（−２、０）を採用する場合は、図２、図３における低位側の安全機能用流量（長破線で示す）を与え、（２、０）とする場合は、高位側の安全機能用流量（短破線で示す）を与える。
このような低位側の安全機能用流量を採用すると、脈動による誤作動の約９０％を防止することができる。
更に、（ａ１、ａ２）として、（０、−ｄｍ／ｓｑｒｔ（ｎ））としても良い。  この場合も、ほぼ、上記と同様な効果を得ることができる。また、この手法にあっては、判断時間を短縮することができる。
【００２９】
（ａ１、ａ２）として、互いに有効な数字の組み合わせを採用することも可能であるし、例えば、積算時間内をさらに細かな時間に分割し、その分割された時間内の標準偏差と差分の平均との関係を判断して、脈動と機器のＯＮ／ＯＦＦによるものとを判別し、上記の組み合わせを変更するものとしても良い。
更に、脈動周期と平均測定間隔との関係において説明すると、脈動周期が平均測定間隔より小さい図２に示す状況では、瞬時流量の測定は、脈動の位相に対してほぼランダムに行われることになるから、差分の絶対値の平均は脈動振幅に比例するため、この平均値の倍数をとる方法は妥当性を持つ。
一方、脈動周期が平均測定間隔より大きい図３のような状況では、バラツキの程度を示す標準偏差と前記平均との両者間は有意差は存在しない。
従って、差分の絶対値の平均の倍数は、本願構造において容易且つ有用に選択・使用できる一つの関数である。
【００３０】
ホ  安全動作手段１４
この安全動作手段１４は、安全機能用流量導出手段１３によって導出された流量に基づいて、流路の遮断、警報の発生等の動作を行う。
この手段における主な動作は以下の通りである。
ホー１  合計流量遮断
これは、ガス栓の誤開放、ゴム管外れ等、メーター下流側に異常大流量が流れた場合に、最大、６０秒後に遮断するものである。
この機能に対して本願の安全機能用流量Ｑｓａを使用する場合は、脈動の影響を除く等の理由から、上記の低位側の安全機能用流量での判断とするのが好ましい。
ホー２  個別流量遮断
これは、メーター号毎に設定された流量が流れた場合に、約６０秒後に遮断するものである。
この機能に対して本願の安全機能用流量Ｑｓａを使用する場合は、脈動の影響を除く等の理由から、上記と同様に、上記の低位側の安全機能用流量での判断とするのが好ましい。
ホー３  漏洩検知警報
室内の微小漏れを検知する漏洩検知警報は、３０日間連続して流量が規定流量（３〜５リットル／ｈ）以下に成らなかった場合に発警するものである。
しかし、本願のＱｓａを用いる場合、マイナスの誤差より流量が規定流量以下と判断し、３０日間のカウントをリセットして警報が正常にしなくなることがない様に、上記の上位側の安全機能用流量での判断とするのが好ましい。
【００３１】
以上が、本願の主要な構成に関する手段であるが、図１に示すように、装置には、使用流量導出手段１５が備えられており、この使用流量導出手段１５からは、実側流量が出力されるように構成されている。この出力値は、一般的な出力装置（カウンター、プリンター等）である使用流量出力手段１６に送られて、ガス使用量の確認が行えるようになっている。
ここで、この使用流量導出手段１５は、前述の積算時間内において求められる積算流量Ｑｓｕｍから、所定の期間内の使用流量を求める。
【００３２】
〔別実施の形態〕
（１）上記の実施の形態にあっては、超音波による流量測定をおこなうものを例に挙げたが、離散的に測定される瞬時流量から積算流量を求めるものとしては、熱伝導式流量センサーを流量測定の主要部とするものの他、電磁式等もあり、本願は、これら全てに対して適応可能である。
（２）上記の実施の形態にあっては、誤差関数は積算流量に対して定義されるものであるが、積算時間が経過した後、得られている複数の瞬時流量から、本願の誤差関数に相当する関数を個々に瞬時流量に対して求め、これに基づいて瞬時流量自体を個々に誤差補正処理を施すことも考えられるが、この手法を採る場合は、瞬時流量の補正および、その補正後の値からの流量の導出という迂回手順をとることとなり、最終的には積算流量に対する安全機能用流量を、求めることが必要となるため、実質的に等価なものであると考えられる。
（３）上記の実施の形態にあっては、第一統計関数として標準偏差を採用しているが、積算流量のバラツキを表す統計関数としては、分散等を採用しても良い。
（４）上記の実施の形態にあっては、第二統計関数として、連続する瞬時流量の差分の絶対値の平均値を採用したが、連続して測定される瞬時流量の差分の平均値等の統計関数を第二統計関数、単位時間( 例えば１ｓｅｃ）当たりの瞬時流量の変化量の平均値等の統計関数を第二統計関数としても良い。更に、流量の一次の時間微分に相当する前記関数の他、二次微分に相当する関数等も採用可能である。
（５）上記の実施の形態にあっては、積算流量と誤差関数とを線形に接続することで、安全機能用流量を得るものとしたが、誤差関数の値に対応して、積算流量に対して一定の割合となる流量を安全機能用流量としても良い。即ち、安全機能用流量は、積算流量と誤差関数から決めることができる。
【図面の簡単な説明】
【図１】本願のガスメーターのシステム構成を示す図
【図２】脈動周期が短い場合の状況を示す説明図
【図３】脈動周期が長い場合の状況を示す説明図
【符号の説明】
１      ガスメーター
２      測定管
３      導入部
４      導出部
５      送受波器
５ａ    送波器
５ｂ    受波器
６      瞬時流量測定手段
７      メーター本体
８      測定時間制御手段
９      第一統計関数導出手段
１０    第二統計関数導出手段
１１    誤差関数導出手段
１２    積算流量導出手段
１３    安全機能用流量導出手段
１４    安全動作手段
１５    使用流量導出手段
１６    使用流量出力手段
【図１】
0004117996.tif 000002
【図２】
0004117996.tif 000003
【図３】
0004117996.tif 000004